(57)【特許請求の範囲】
【請求項１】
基部を備える引出部材において、
前記基部は、上表面及び下表面と、カードを収納するための第１収納孔と、前記第１収納孔を包囲する内側面と、を有し、
前記基部の内側面が前記基部の上表面及び下表面を連接し、前記基部の内側面には、複数の保持部が設けられ、前記基部の内側面には、前記保持部に隣接する部分に、前記基部の上表面及び下表面を貫通する複数の窪溝が形成されることを特徴とする引出部材。
【請求項２】
前記複数の保持部は、冷間鍛造によって製造されたことを特徴とする請求項１に記載の引出部材。
【請求項３】
前記保持部は、前記基部の下表面と連接し、電子カードを支持するための第１保持部と、前記基部の上表面と連接し、前記電子カードの誤挿入を防止できる第２保持部とを備え、前記第１保持部及び第２保持部が、前記基部の内側面から第１収納孔に向かって突出し、前記第１保持部の一端が第２保持部の他端に近づき、前記窪溝が、前記第１保持部と第２保持部との間に形成される第１窪溝を含むことを特徴とする請求項１に記載の引出部材。
【請求項４】
前記保持部は、前記基部の下表面と連接する第３保持部を有し、第３保持部が前記基部の内側面から前記第１収納孔に向かって突出し、前記窪溝が、前記基部の内側面の第３保持部の一端と隣接する部分に形成される第２窪溝を含むことを特徴とする請求項１に記載の引出部材。
【請求項５】
前記窪溝は、第３保持部の他の端に形成される第４窪溝を含むことを特徴とする請求項４に記載の引出部材。
【請求項６】
前記基部は、他のカードを収納するための第２収納孔を有し、前記保持部は、前記基部の上表面と連接する第４保持部が設けられ、前記第４保持部が、前記第１収納孔と第２収納孔との間に設けられ、前記窪溝が前記第４保持部の一端に形成される第３窪溝を含むことを特徴とする請求項１から５のいずれか一項に記載の引出部材。
【請求項７】
前記基部が、前記内側面と対向する外側面を有し、前記基部の外側面には、突出部が設けられ、前記引出部材が冷間鍛造によって製造される過程で前記突出部を形成することを特徴とする請求項１に記載の引出部材。
【請求項８】
前記引出部材は、前記基部に連接されるドアを有し、前記ドアが、前記基部から延出する操作部を有し、前記ドアが、前記基部に連接される第１側面と、前記操作部に設けられる第２側面と、前記第１側面及び第２側面に対向する外側板状面と、を備え、前記第１側面及び第２側面が、前記ドアの同じ側に配置され、前記第１側面が、前記第２側面より、外側板状面に近づくことを特徴とする請求項７に記載の引出部材。
【請求項９】
電子カードコネクタに用いられ、電子カードを収納するための引出部材において、
基部と、
前記基部に連接されるドアと、
を有し、
前記ドアは、前記基部から延出する操作部が設けられ、
前記ドアが、前記基部に連接される第１側面と、前記操作部に設けられる第２側面と、を備え、前記第１側面及び第２側面が、前記ドアの同じ側に配置され、前記第１側面と前記第２側面と間には、階段が形成されていることを特徴とする引出部材。
【請求項１０】
前記ドアには、前記第１側面及び第２側面に対向する外側板状面が設けられ、前記第１側面が、前記第２側面より、前記外側板状面に近づくことを特徴とする請求項９に記載の引出部材。
【請求項１１】
前記基部の外側とドアとの連接する部分には、窪溝が形成され、前記ドアの操作部には、ピンを挿入するための貫通孔が形成されていることを特徴とする請求項９に記載の引出部材。
【発明の詳細な説明】
【技術分野】
【０００１】
本発明は、引出部材に関し、特に、カードコネクタに用いられ、カードを保持する引出部材に関するものである。
【背景技術】
【０００２】
従来のカードコネクタは、カードを保持するための引出部材を含む。
【０００３】
引出部材は、通常、パンチ或いは、インサートモールドによって製造される。これにより、カードコネクタの製造費用は増加してしまう。
【発明の概要】
【発明が解決しようとする課題】
【０００４】
そこで、本発明の目的は、製造費用を削減することができる引出部材を提供することにある。
【課題を解決するための手段】
【０００５】
前記目的を達成するために、本発明の引出部材は基部を備える。前記基部は、上表面及び下表面と、カードを収納するための第１収納孔と、前記第１収納孔を包囲する内側面と、を有する。前記基部の内側面が前記基部の上表面及び下表面を連接する。前記基部の内側面には、複数の保持部が設けられる。前記基部の内側面には、前記保持部に隣接する部分に、前記基部の上表面及び下表面を貫通する複数の窪溝が形成される。
【発明の効果】
【０００６】
従来の技術と比べると、本発明は以下の長所を有する。本発明の基部には、複数の窪溝が形成されている。前記基部の冷間鍛造過程で、金属材料が窪溝に流れる。前記窪溝によって、材料を切る過程で、直角で切ることを防止でき、金型を保護できる。窪溝によって、冷間鍛造によって前記保持部を形成する過程で、上方の金型と下方の金型とが互いに干渉することを防止できる。量産を図ることができる。
【図面の簡単な説明】
【０００７】
【図１】本発明の第１カード及び第２カードを挿入する引出部材の組立斜視図である。
【図２】図１に示した引出部材の斜視図である。
【図３】図２に示した引出部材を別の角度から見た斜視図である。
【図４】図２に示した引出部材を別の角度から見た斜視図である。
【図５】図４に示した記号Ｃの部分の拡大図である。
【図６】図３に示した記号Ｂの部分の拡大図である。
【図７】図２に示した記号Ａの部分の拡大図である。
【発明を実施するための形態】
【０００８】
図１〜図２に示すように、本発明の引出部材１００は、カードコネクタに用いられ、第１カード２００及び第２カード３００を収納できる。
【０００９】
図１〜図７に示すように、前記引出部材１００が、金属材料から冷間鍛造によって製造される。前記引出部材１００は、基部１と、ドア２と、を備える。
【００１０】
基部１は、上表面１ａと、下表面１ｂと、前記第１カード２００を収納するための第１収納孔１０と、前記第１収納孔１０を包囲する内側面１３と、前記第２カード３００と、を収納するための第１収納孔１０と、を有する。前記内側面１３は、前記上表面１ａ及び下表面１ｂと連接する。前記基部１の内側面１３には、第１の保持部１４ａと、第２の保持部１４ｂと、第３の保持部１４ｃと、第４の保持部１４ｄとが設けられる。前記内側面１３には、第１の保持部１４ａと、第２の保持部１４ｂと、第３の保持部１４ｃと、第４の保持部１４ｄに隣接する部分に、前記基部１の上表面１ａ及び下表面１ｂを貫通する第１窪溝１３０ａ、第２窪溝１３０ｂ、第３窪溝１３０ｃ、第４窪溝１３０ｄが形成される。これらの窪溝１３０ａ、１３０ｂ、１３０ｃ、１３０ｄは、余分な材料を除くことによって、形成される。金属材料から冷間鍛造によって前記基部１を形成する過程で、金属材料が第１窪溝１３０ａと、第２窪溝１３０ｂと、第３窪溝１３０ｃと、第４窪溝１３０ｄとに流れる。製造費用が低い。
【００１１】
図２〜図６に示すように、前記保持部１４ａ、１４ｂ、１４ｃ、１４ｄは、前記基部１の下表面１ｂと連接し、第１カード２００を支持するための第１保持部１４ａと、前記基部１の上表面１ａと連接し、カードの誤挿入を防止できる第２保持部１４ｂと、前記基部１の下表面１ｂと連接し、第１カード２００を支持するための第３保持部１４ｃと、前記基部１の上表面１ａと連接する第４保持部１４ｄと、を有する。前記第１保持部１４ａ及び第２保持部１４ｂは、前記基部１の内側面１３から前記第１収納孔１０に向かって突出する。前記第１保持部１４ａの一端は、前記第２保持部１４ｂの一端に近づく。前記第１保持部１４ａ及び前記第２保持部１４ｂの間には、第１窪溝１３０ａが形成される。第１窪溝１３０ａによって、冷間鍛造によって前記第１保持部１４ａ及び第２保持部１４ｂを形成する過程で、上方の金型と下方の金型とが互いに干渉することを防止できる。量産を向上することができる。
【００１２】
前記第３保持部１４ｃは、前記基部１の内表面１３から前記第１収納孔１０に向かって突出する。前記基部１の内側面１３には、前記第３保持部１４ｃの一端に隣接する部分に第２窪溝１３０ｂが形成され、他の端に第４窪溝１３０ｄが形成される。
【００１３】
前記第４保持部１４ｄは、前記内表面１３から窪んで形成され、第１収納孔１０と第２収納孔２０との間に設けられる。前記第４保持部１４ｄの一端には、第３窪溝１３０ｃが形成される。第２窪溝１３０ｂ、第３窪溝１３０ｃによって、材料を切る過程で、直角で切ることを防止でき、金型を保護できる。第４窪溝１３０ｄによって、冷間鍛造によって前記第３保持部１４ｃを形成する過程で、上方の金型と下方の金型とが互いに干渉することを防止できる。量産を向上することができる。
【００１４】
基部１は、第１フレーム１５を有する。第１保持部１４ａと、第２保持部１４ｂと、前記第１保持部１４ａ及び第２保持部１４ｂの間の窪溝１３０ａとは、前記第１フレーム１５に形成される。前記基部１は、前記内側面１３と対向する外側面１６を有する。前記ベース１の外側面１６には、突出部１６１が設けられる。前記突出部１６１は、冷間鍛造によって形成される。前記基部１の外側面１６とドア２との間には、前記窪溝が形成されてもいい。
【００１５】
図７に示すように、前記ドア２には、前記基部１から延出する操作部２０が設けられる。前記ドア２は、前記基部１に連接される第１側面２１と、前記操作部２０に設けられる第２側面２０１と、前記第１側面２１及び第２側面２０１に対向する外側板状面２２と、を備える。前記第１側面２１及び第２側面２０１は、前記ドア２の同じ側に配置される。前記第１側面２１及び第２側面２０１の間には、階段が設けられる。前記第１側面２１は、前記第２側面２０１より、前記外側板状面２２に近づく。前記操作部２０には、ピンが挿入される貫通孔２０２が形成される。
【００１６】
前記基部１には、第２カード３００を収納するための第２収納孔１１が形成される。前記基部１には、前記第２収納孔１１に対応する第２内側面１７に、第３窪溝１３０ｃ及び第４保持部１４ｄとが設けられる。本実施形態において、第１収納孔１１及び第２収納孔１２は、並列に配置される。他の実施形態において、第１収納孔１１のみが配置されても、或いは第２収納孔１２のみが配置されてもいい。
【００１７】
基部１の内側面１３には、窪溝１３０ａ、１３０ｂ、１３０ｃ、１３０ｄが形成される。金属材料から冷間鍛造によって前記基部１を形成する過程で、金属材料が窪溝１３０ａ、１３０ｂ、１３０ｃ、１３０ｄに流れる。製造費用が低い。窪溝１３０ｂ、１３０ｃによって、材料を切る過程で、直角で切ることを防止でき、金型を保護できる。窪溝１３０ａによって、冷間鍛造によって前記第１保持部１４ａ及び第２保持部１４ｂを形成する過程で、上方の金型と下方の金型とが互いに干渉することを防止できる。量産を向上することができる。
【符号の説明】
【００１８】
１００  引出部材
２００  第１カード
３００  第２カード
１  基部
１０  第１収納孔
１１  第２収納孔
１３  内側面
１３０ａ、１３０ｂ、１３０ｃ、１３０ｄ  窪溝
１４ａ  第１保持部
１４ｂ  第２保持部
１４ｃ  第３保持部
１４ｄ  第４保持部
１５  フレーム
１６  外側面
１６１  突出部
１７  第２内側面
２  ドア
２０  操作部
２１  第１側面
２０１  第２側面
２０２  貫通孔
２２  外側板状面
【図１】
0006700132.tif 000002
【図２】
0006700132.tif 000003
【図３】
0006700132.tif 000004
【図４】
0006700132.tif 000005
【図５】
0006700132.tif 000006
【図６】
0006700132.tif 000007
【図７】
0006700132.tif 000008